(57)【要約】【課題】釣竿とリ−ルを保持しながら容易に補助巻取り操作が行える魚釣用スピニングリ−ルを提供すること。【解決手段】リ−ル本体１と蓋体１０の軸受でハンドルからなる回転体２の両端が軸承されて蓋体１０から突出した回転体２の小径部２ｃ外周に一方向クラッチＡの内輪１５が回り止め嵌合され、一方向クラッチＡは作動体３内に収容されて作動体３の筒部３ｃの外周には連結腕３ｇが形成されると共のピン２３が固定されている。リ−ル本体１の上部のリ−ル脚１ａの凹部１ｂ内に補助操作レバ−５の基部５ａが操作杆６で回動自在に支承され、操作杆６と連結腕３ｇが連結杆７で連結されて補助操作レバ−５と操作杆６と連結杆７は補助操作部材Ｂを構成する部材である。【選択図】　　　　図４
2004113060.tif 000002
【特許請求の範囲】
【請求項１】
ハンドル回転に連動し、釣糸案内部を有するロ−タを介してスプ−ルに釣糸を巻回する魚釣用スピニングリ−ルにおいて、ハンドルの回転操作で連動回転する回転体に一方向クラッチを介して補助巻取り操作用の補助操作部材を設け、釣竿を保持した手の指で該補助操作部材の操作部を操作する補助操作で前記スプ−ルに釣糸を巻回可能としたことを特徴とする魚釣用スピニングリ−ル。
【請求項２】
前記補助操作部材に、リ−ル本体に変位可能に支持された指で操作される操作部が連結されていることを特徴とする請求項１記載の魚釣用スピニングリ−ル。
【請求項３】
前記補助操作部材の指で操作される操作部を着脱自在にしたことを特徴とする請求項１記載の魚釣用スピニングリ−ル。
【発明の詳細な説明】
【０００１】
【発明の属する技術分野】
本発明は、釣糸案内部を有するロ−タを補助操作部材で補助巻取り操作を行ってスプ−ルに釣糸を巻回する魚釣用スピニングリ−ルの改良に関する。
【０００２】
【従来の技術】
【特許文献１】
実開昭４８−５４９８９号公報
【特許文献２】
実開昭５０−１１９５９１号公報
【０００３】
前記特許文献１及び特許文献２には、釣糸の繰り出しに伴い回転する回転軸（ハンドル軸）の端部に制動円盤を取付固定し、実釣時における魚のヒット後の状況に応じて手の指で制動を掛けて釣糸繰り出し状態を制御するようにした構成が示されている。
これらは何れも、魚がヒットした後の取り込みとして行われるものであり、実際の釣りにおいては、魚との駆け引きがあり、一筋縄では行かないのが実状でもあり、釣りの醍醐味でもある。
【０００４】
また、従来、釣法の一つとして、ルア−と称される疑似餌にアクションを与えて魚を釣るルア−フィッシングが知られている。
このルア−フィッシングにおいて、通常、魚は一定のスピ−ドと動きをするものにあまり興味を示さない習性があることから、ロッド及びリ−ルの操作によってルア−を止めたり、動かしたりする等の不規則なアクションを与えることが行われている。
この場合の操作の一つとして、キャスト後にロッドを引き上げてルア−にアクションを与え、その引き上げた分の釣糸を、ロッドを下げながら糸ふけが生じないようにハンドルを回転操作してスプ−ルに巻回することがある。
そして、釣人は、この一連のルア−アクションを、釣り場の状況に応じて何回も繰り返し行い、魚のヒッティングを待つことになる。
【０００５】
ところで、釣人は、このようなルア−アクション操作を、リ−ルを握持保持した手によるロッド操作と、反対側の手によるハンドルの回転による巻取り回転操作とを使い分けて行わなければならず、キャスティング操作後のロッドを操作する腕が伸びきっている状態や、ハンドルが下側に向いている状態（手首の関係上、ロッドと共に保持しているハンドルは下側に向き易い）では、他方の手が不自然な位置となって、容易かつ微妙なハンドル回転操作、すなわち巻取り操作が行えない、と言う不具合いがある。
また、釣場の障害物やハンドル側の手で物を持っている場合等、ハンドル側の手で巻取り操作ができない状況が発生する場合もある。
本願では仕掛けに獲物が掛かってハンドルの回転操作で急速に釣糸を巻き取る操作とは異なる、前記ルア−アクション操作のような仕掛けの誘導操作と糸ふけの巻き上げや釣糸の垂らし長さの微調整のように小刻みに釣糸を巻き取る為の操作を補助巻取り操作として述べる。
【０００６】
【発明が解決しようとする課題】
解決しようとする問題点は、前記特許文献１及び特許文献２に示される回転軸の端部に固定された制動円盤を手の指で回転操作して仕掛けの誘導操作や糸ふけの巻き上げや釣糸の垂らし長さの微調整を行うことは至難の技であり、ハンドル回転操作で仕掛けの誘導操作や糸ふけの巻き上げや釣糸の垂らし長さの微調整を行うことも、手が不自然な位置となって、容易かつ微妙なハンドル回転操作、すなわち巻取り操作が行えないことがあることである。
【０００７】
本発明の目的は前記欠点に鑑み、釣竿とリ−ルを保持しながら容易に補助巻取り操作が行える魚釣用スピニングリ−ルを提供することである。
【０００８】
【課題を解決するための手段】
上記課題を解決するために、
請求項１に係わる本発明は、ハンドル回転に連動し、釣糸案内部を有するロ−タを介してスプ−ルに釣糸を巻回する魚釣用スピニングリ−ルにおいて、ハンドルの回転操作で連動回転する回転体に一方向クラッチを介して補助巻取り操作用の補助操作部材を設け、釣竿を保持した手の指で該補助操作部材の操作部を操作する補助操作で前記スプ−ルに釣糸を巻回可能としたことを要旨とするものである。
請求項２に係わる本発明は、前記補助操作部材に、リ−ル本体に変位可能に支持された指で操作される操作部が連結されていることを要旨とするものである。
請求項３に係わる本発明は、前記補助操作部材の指で操作される操作部を着脱自在にしたことを要旨とするものである。
【０００９】
【発明の実施の形態】
請求項１の本発明により、実釣時において、キャスト後の仕掛けの微妙な誘導操作を、釣竿４２を保持した手の指で支障無く、容易に行える。
更に、一方向クラッチＡを介しての補助巻取り操作が行えるので、手の指を補助操作部材Ｂの補助操作レバ−５、９の操作部５ｂ、９ａに触れた状態で必要に応じて操作することができるから、保持状態の安定化を図りながら仕掛け誘導操作や糸ふけの巻き上げや釣糸の垂らし長さの微調整のように小刻みに釣糸を巻き取る為の補助巻取り操作が迅速に行える。
請求項２の本発明により、釣竿４２を保持した手の指による補助操作部材Ｂの補助巻取り操作が容易になる。
請求項３の本発明により、リ−ルを携帯する時に嵩張らない。
【００１０】
【実施例】
以下、図示の実施例によって本発明を説明すると、図１から図７は第１実施例で、図１は魚釣用スピニングリ−ルの側面図、図２は図１の要部断面側面図、図３は魚釣用スピニングリ−ルの要部断面平面図、図４は図３の要部拡大断面平面図、図５は魚釣用スピニングリ−ルの断面平面図、図６は一方向クラッチを収容した作動体の拡大断面側面図、図７は補助操作部材が操作された魚釣用スピニングリ−ルの側面図である。
【００１１】
魚釣用スピニングリ−ルは、リ−ル本体１の一側に蓋体１０が取り付けられてリ−ル本体１に取り付けられた軸受１１と蓋体１０に取り付けられた軸受１２でハンドルからなる回転体２の両端が軸承されている。
回転体２の太径部２ａには駆動歯車２ｂが一体に固定され、回転体２の太径部２ａの他端にハンドル１３の連結体１４が固定されている。
蓋体１０から突出した回転体２の太径部２ａの一端には小径部２ｃと小径部２ｄと周溝２ｅが形成されている。
小径部２ｃ外周には一方向クラッチＡの内輪１５が回り止め嵌合されている。
小径部２ｄは一方向クラッチＡが収容された作動体３の透孔３ａに挿入されて凹部３ｂ内に突出され、凹部３ｂ内の小径部２ｄにワッシャ１６が嵌合されて周溝２ｅに嵌合されたＥリング１７で作動体３と一方向クラッチＡは抜け止めされている。
【００１２】
一方向クラッチＡは図３から図６のように、内輪１５と外輪１８と棒状転がり部材１９と外輪１８内に設けられた保持器２０と付勢バネ２１等で構成されている。
外輪１８の内周面には凹部で棒状転がり部材１９の自由回転域αと棒状転がり部材１９が当接されて回転が阻止される阻止面βが構成されている。
作動体３は有底筒状で筒部３ｃの一側内側に外輪１８が嵌まる凹部３ｄが形成されて底面の内壁３ｅを挾んで他側に凹部３ｂが形成されている。
凹部３ｂの穴縁には段部が形成されて閉塞板２２が固定されている。
筒部３ｃの一側外側には蓋体１０側に延びる筒部３ｆが形成されている。
筒部３ｃの外周には連結腕３ｇが形成されると共のピン２３が固定されている。
【００１３】
一方向クラッチＡの動作は図６で、ハンドルからなる回転体２と内輪１５が時計方向に回転されると、棒状転がり部材１９が自由回転域αに位置して楔作用しない非作動状態となり、回転体２は時計方向に正回転が可能となる。
次に回転体２が反時計方向に回転されると、棒状転がり部材１９が阻止面βに位置して楔作用する作動状態となり、回転体２の反時計方向の回転が阻止されて逆回転が不可能になる。
作動体３の回転方向と一方向クラッチＡの関係を述べると、作動体３が図６で時計方向に回動されると、棒状転がり部材１９が阻止面βに位置して楔作用する作動状態となり、回転体２が時計方向に回動される。
作動体３が反時計方向に回動されると、棒状転がり部材１９が自由回転域αに位置して楔作用しない非作動状態となり、回転体２が回転されない。
【００１４】
リ−ル本体１の上部にはリ−ル脚１ａが一体に形成されている。
リ−ル脚１ａの基部の前側には凹部１ｂが形成されている。
リ−ル脚１ａの凹部１ｂの側面には横板４がビス２４で固定されている。
凹部１ｂの側壁１ｃと横板４には夫々外側に凹部を有する透孔１ｄ、４ａが穿設されている。
凹部１ｂ内には補助操作部材Ｂを構成する補助操作レバ−５の基部５ａが挿入されて補助操作部材Ｂを構成する操作杆６で回動自在に支承されている。
【００１５】
補助操作レバ−５には一側基部５ａと前方に延びた先に操作部５ｂが形成されている。
操作部５ｂは図４の２点鎖線のように補助操作レバ−５に別体に形成して一体に連結してもよい。
操作杆６の軸部６ａ外周には発条２５が巻回されて一端は基部５ａに止められ、他端は横板４に掛け止めされて補助操作レバ−５は操作部５ｂが下方に付勢されている。
操作杆６は軸部６ａと鍔部６ｂと軸部６ｃと鍔部６ｄと軸部６ｃより小径の回り止め軸部６ｅで形成されている。
軸部６ａと回り止め軸部６ｅの中心にはネジ穴が形成されて夫々ビス２６、２７が螺合されている。
【００１６】
回り止め軸部６ｅには補助操作部材Ｂを構成する連結杆７の一端が回り止め嵌合されてビス２７で抜け止めされている。
連結杆７の他端には長孔７ａが形成されて作動体３の連結腕３ｇに固定されたピン２３が挿入されている。
【００１７】
リ−ル本体１の前部には軸受２８で回転軸筒２９が回転自在に軸受されると共に前側に突出されている。
軸受２８より前側の回転軸筒２９の外周に歯車３０とロ−タ８の筒部８ａが回り止め嵌合されてナット３１で固定されている。
回転軸筒２９の基端は軸受部１ｅで回転自在に軸承され、基端の前側に一体的に形成されたピニオン２９ａに駆動歯車２ｂが噛合されてロ−タ８はハンドル１３の回転に連動して回転されるように支持されている。
前記回転軸筒２９の中心孔にはスプ−ル軸３２の太径部３２ａが前後往復動可能に摺動自在に挿入され、スプ−ル軸３２の先端にはスプ−ル３３が取り付けられている。
【００１８】
ロ−タ８は筒部８ａで回転軸筒２９に取り付けられ、筒部８ａと前壁８ｃと大径の筒部８ｄと大径の筒部８ｄの基部８ｅ、８ｆの外周から前方に向けて突出された一対の支持腕８ｇ、８ｈとで形成されている。
一対のベ−ル支持腕８ｇ、８ｈの先端部外側に一方のベ−ル支持部材３４と他方のベ−ル支持部材３５がビス３６、３７で釣糸巻取位置と釣糸放出位置に反転自在に軸承されている。
一方のベ−ル支持部材３４にはロ−ラからなる釣糸案内部３８の取付部３９が取り付けられている。
他方のベ−ル支持部材３５と取付部３９の間にベ−ル４０が取り付けられている。
【００１９】
第１実施例では、リ−ル本体１の一側の蓋体１０から外部に突出された回転体２の一端の小径部２ｃ外周に一方向クラッチＡの内輪１５が回り止め嵌合され、作動体３の中に外輪１８が収容されて作動体３が補助操作部材Ｂの補助操作レバ−５の操作部５ｂと操作杆６と連結杆７で補助巻取り操作されるように構成されている。
【００２０】
魚釣用スピニングリ−ルの動作は、スプ−ル３３に釣糸４１が巻回される方向にハンドル１３が回転されると、回転体２と駆動歯車２ｂ、ピニオン２９ａ、回転軸筒２９を介してロ−タ８が回転されて釣糸４１が釣糸案内部３８で案内されてスプ−ル３３に巻回される。
この時ハンドル１３が釣糸４１が巻回される方向に回転されると、図６で回転体２と一方向クラッチＡの内輪１５が時計方向に回転されて棒状転がり部材１９は自由回転域αで回転されて外輪１８に回転が伝達されない。
【００２１】
次に補助巻取り操作が行われる時は、釣竿４２とリ−ル脚１ａの上部を保持した手の人差し指で補助操作部材Ｂの補助操作レバ−５の操作部５ｂが発条２５の付勢力に抗して引き上げ操作される。
この補助巻取り操作で、操作杆６が回動されて連結杆７が図７で反時計方向に回動されて作動体３が時計方向に回動される。
作動体３が時計方向に回動されると外輪１８が時計方向に回動されて棒状転がり部材１９が阻止面βに位置して楔作用する作動状態となり、内輪１５と回転体２が時計方向に回転されてロ−タ８がスプ−ル３３に釣糸４１が巻回される方向に回転される。
操作部５ｂを引き上げる補助巻取り操作が繰り返し行われると、ロ−タ８が小刻みに回動されて釣糸４１がスプ−ル３３に巻回され、糸ふけの糸を巻き上げたり、一連のルア−アクションを行うことができる。
【００２２】
前記のように魚釣用スピニングリ−ルが構成されると、実釣時において、キャスト後の仕掛けの微妙な誘導操作を、釣竿４２を保持した手の指で支障無く、容易に行える。
更に、一方向クラッチＡを介しての補助巻取り操作が行えるので、手の指を補助操作部材Ｂの補助操作レバ−５の操作部５ｂに触れた状態で必要に応じて操作することができるから、保持状態の安定化を図りながら仕掛け誘導操作や糸ふけの巻き上げや釣糸の垂らし長さの微調整のように小刻みに釣糸を巻き取る為の補助巻取り操作が迅速に行える。
【００２３】
図８から図１１は第２実施例で、図８は魚釣用スピニングリ−ルの要部断面側面図と一部拡大断面側面図、図９は魚釣用スピニングリ−ルの要部断面平面図、図１０は魚釣用スピニングリ−ルの断面平面図、図１１は図１０の要部拡大断面平面図である。
【００２４】
第２実施例では、リ−ル本体１の中のハンドルからなる回転体２に一方向クラッチＡが収容された作動体３が設けられている。
リ−ル本体１の上部には補助操作部材Ｂを構成する連結杆７の下端が挿入される長孔１ｆが穿設されている。
リ−ル本体１のリ−ル脚１ａ内に支承された補助操作部材Ｂを構成する補助操作レバ−５と補助操作部材Ｂを構成する連結杆７を連結する操作杆６′は前記第１実施例の操作杆６より短く形成されている。
回転体２の太径部２ａには駆動歯車２ｂが一体に固定されると共に、太径部２ａ外周には一方向クラッチＡの内輪１５が回り止め嵌合されている。
回転体２の左右両端にハンドル１３の連結体１４が左右交換自在に螺合連結されるように構成されている。
他の構成は前記第１実施例と略同一である。
【００２５】
図１２から図１５は第３実施例で、図１２は魚釣用スピニングリ−ルの要部断面側面図と一部拡大断面側面図、図１３は魚釣用スピニングリ−ルの平面図、図１４は魚釣用スピニングリ−ルの断面平面図、図１５は図１４の要部拡大断面平面図である。
【００２６】
第３実施例では、リ−ル本体１のリ−ル脚１ａに沿って補助操作部材Ｂを構成する補助操作レバ−９が上下に摺動可能に設けられると共に、リ−ル本体１の中のハンドルからなる回転体２に一方向クラッチＡが収容された作動体３が設けられている。
リ−ル本体１の上部には補助操作部材Ｂを構成する補助操作レバ−９の下側が挿入される長孔１ｇが穿設されている。
補助操作レバ−９の上部には水平方向前方の延びた操作部９ａが形成され、縦片部９ｂの上下に長孔９ｃ、９ｄが穿設され、縦片部９ｂの下側後側にラック歯９ｅが形成され、縦片部９ｂの下側前側にバネ掛け部９ｆが形成されている。
上側の長孔９ｃにはリ−ル脚１ａに固定されたピン４３が挿入されている。
下側の長孔９ｄはリ−ル本体１内に固定されたピン４４が挿入されている。
リ−ル本体１内の縦片部９ｂの前側にはバネ掛けピン４５が固定され、バネ掛け部９ｆとバネ掛けピン４５の間に付勢バネ４６が張設されている。
【００２７】
リ−ル本体１内の作動体３の外周には歯部３ｈが形成されて補助操作レバ−９のラック歯９ｅが噛合されている。
前記補助操作レバ−９が保持されるピン４３、４４はビスであってもよい。
他の構成は前記第２実施例と略同一である。
【００２８】
第３実施例で補助巻取り操作は、釣竿４２とリ−ル脚１ａの上部を保持した手の人差し指で補助操作部材Ｂの補助操作レバ−９の操作部９ａが付勢バネ４６の付勢力に抗して引き下げ操作される。
この補助巻取り操作で作動体３が時計方向に回動され、作動体３が時計方向に回動されると外輪１８が時計方向に回動されて棒状転がり部材１９が阻止面βに位置して楔作用する作動状態となり、内輪１５と回転体２が時計方向に回転されてロ−タ８がスプ−ル３３に釣糸４１が巻回される方向に回転される。
操作部９ａが引き下げられる補助巻取り操作が繰り返し行われると、ロ−タ８が小刻みに回動されて釣糸４１がスプ−ル３３に巻回され、糸ふけの糸を巻き上げたり、一連のルア−アクションを行うことができる。
【００２９】
前記説明では、補助巻取り操作で回転される回転体をハンドルからなる回転体２としたが、ロ−タ８が取り付けられた回転軸筒２９を回転体としてもよい。
【００３０】
【発明の効果】
本発明は、以上説明したような形態で実施され、以下に記載されるような効果を奏する。
【００３１】
請求項１により、実釣時において、キャスト後の仕掛けの微妙な誘導操作を、釣竿４２を保持した手の指で支障無く、容易に行える。
更に、一方向クラッチＡを介しての補助巻取り操作が行えるので、手の指を補助操作部材の補助操作レバ−の操作部に触れた状態で必要に応じて操作することができるから、保持状態の安定化を図りながら仕掛け誘導操作や糸ふけの巻き上げや釣糸の垂らし長さの微調整のように小刻みに釣糸を巻き取る為の補助巻取り操作が迅速に行える。
請求項２により、釣竿を保持した手の指による補助操作部材の補助巻取り操作が容易になる。
請求項３により、リ−ルを携帯する時に嵩張らない。
【図面の簡単な説明】
【図１】第１実施例で、魚釣用スピニングリ−ルの側面図である。
【図２】同図１の要部断面側面図である。
【図３】同魚釣用スピニングリ−ルの要部断面平面図である。
【図４】同図３の要部拡大断面平面図である。
【図５】同魚釣用スピニングリ−ルの断面平面図である。
【図６】同一方向クラッチを収容した作動体の拡大断面側面図である。
【図７】同補助操作部材が操作された魚釣用スピニングリ−ルの側面図である。
【図８】第２実施例で、魚釣用スピニングリ−ルの要部断面側面図と一部拡大断面側面図である。
【図９】同魚釣用スピニングリ−ルの要部断面平面図である。
【図１０】同魚釣用スピニングリ−ルの断面平面図である。
【図１１】同図１０の要部拡大断面平面図である。
【図１２】第３実施例で、魚釣用スピニングリ−ルの要部断面側面図と一部拡大断面側面図である。
【図１３】同魚釣用スピニングリ−ルの平面図である。
【図１４】同魚釣用スピニングリ−ルの断面平面図である。
【図１５】同図１４の要部拡大断面平面図である。
【符号の説明】
１　リ−ル本体
２　回転体
５、９　補助操作レバ−
５ｂ、９ａ　操作部
８　ロ−タ
３８釣糸案内部
Ａ　一方向クラッチ
Ｂ　補助操作部材
【図１】
2004113060.tif 000003
【図２】
2004113060.tif 000004
【図３】
2004113060.tif 000005
【図４】
2004113060.tif 000006
【図５】
2004113060.tif 000007
【図６】
2004113060.tif 000008
【図７】
2004113060.tif 000009
【図８】
2004113060.tif 000010
【図９】
2004113060.tif 000011
【図１０】
2004113060.tif 000012
【図１１】
2004113060.tif 000013
【図１２】
2004113060.tif 000014
【図１３】
2004113060.tif 000015
【図１４】
2004113060.tif 000016
【図１５】
2004113060.tif 000017